(57)【要約】【課題】多大なコストをかけることなく、従来とは異なる箇所に遊技球通路に似たものを設けてなる遊技機を提供する。【解決手段】前扉４に取り付けられるランプカバー３２に遊技領域１６の前方まで膨出する膨出部３３を設けるとともに、該膨出部３３に、第１の流路分岐部４１Ａや第２の遊技球流路４２Ｂの前方に位置する第１擬似進入部３３ａや第１擬似通路部３３ｂを設けており、第１擬似進入部３３ａから第１擬似通路部３３ｂにかけて擬似的な遊技球通路が形成されるようにした。【選択図】図２
2019162537.tif 000002
【特許請求の範囲】
【請求項１】
遊技球が流下する遊技領域内に複数の遊技球流路が設けられている一方、前記遊技領域の前方を開閉する扉手段が片開き可能に取り付けられているとともに、前記扉手段の前面の周縁部に、装飾カバーが取り付けられており、前記装飾カバーに、前記扉手段により前記遊技領域を閉塞した際、前記遊技領域の前方まで膨出する膨出部が設けられた遊技機であって、
前記膨出部が、何れかの前記遊技球流路に沿って延びていて、当該遊技球流路の少なくとも一部の前方に位置しており、前記遊技球流路における前記膨出部での被覆箇所が擬似的な遊技球通路とされているとともに、
前記膨出部に、前記遊技球流路の一部を露出させる開口が設けられており、前記開口を介して前記擬似的な遊技球通路を流下する遊技球を視認可能としたことを特徴とする遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機では、遊技領域内に、遊技球を所定の上流位置から下流位置へ導くための遊技球通路（たとえばワープ通路等）が設けられている。たとえば特許文献１に記載のパチンコ機では、遊技領域の略中央に設けられる表示部の側方に遊技球通路を設け、上流側から進入した遊技球を表示部の下辺に沿って設けられたステージ上へ導くように構成されている。
【先行技術文献】
【特許文献】
【０００３】
【特許文献１】特開平１１−９７８０号公報
【発明の概要】
【発明が解決しようとする課題】
【０００４】
しかしながら、遊技盤は合板等により成形されることも多く、遊技盤に、多数植設されている遊技釘からなる遊技球流路以外の遊技球通路を直接設けるとなると、多大なコストがかかる、他の部材の設置スペースや遊技球流路の設計自由度等が大きく制約されてしまうという問題がある。そのため、従来では、上述したように表示部を囲むように設けられる所謂センター部材に設けられるのが一般的で、遊技球通路を設けることの新鮮さに乏しいという問題もある。
【０００５】
そこで、本発明は、上記問題に鑑みなされたものであって、多大なコストをかけることなく、従来とは異なる位置に遊技球通路に似たものを設けてなる遊技機を提供しようとするものである。
【課題を解決するための手段】
【０００６】
上記目的を達成するために、本発明は、遊技球が流下する遊技領域内に複数の遊技球流路が設けられている一方、前記遊技領域の前方を開閉する扉手段が片開き可能に取り付けられているとともに、前記扉手段の前面の周縁部に、装飾カバーが取り付けられており、前記装飾カバーに、前記扉手段により前記遊技領域を閉塞した際、前記遊技領域の前方まで膨出する膨出部が設けられた遊技機であって、前記膨出部が、何れかの前記遊技球流路に沿って延びていて、当該遊技球流路の少なくとも一部の前方に位置しており、前記遊技球流路における前記膨出部での被覆箇所が擬似的な遊技球通路とされているとともに、前記膨出部に、前記遊技球流路の一部を露出させる開口が設けられており、前記開口を介して前記擬似的な遊技球通路を流下する遊技球を視認可能としたことを特徴とする。
【０００７】
なお、遊技球が流下する遊技領域内に複数の遊技球流路を設けるとともに、前記遊技領域の前方を開閉する扉手段が片開き可能に取り付けられた遊技機において、前記扉手段の前面の周縁部に、装飾カバーが取り付けられ、前記装飾カバーに、前記扉手段により前記遊技領域を閉塞した際、前記遊技領域の前方まで膨出するとともに何れかの前記遊技球流路に沿って延びていて、当該遊技球流路の少なくとも一部の前方に位置する膨出部が擬似通路部として設けられており、前記遊技球流路における前記擬似通路部での被覆箇所が擬似的な遊技球通路とされているとともに、前記擬似通路部に、前記遊技領域の外側へ向かって切り欠かれ、前記遊技球流路の一部を露出させる切り欠き部が設けられ、前記擬似的な遊技球通路を流下する遊技球を視認可能とするという第１の構成を採用することも考えられる。
そして、そのような第１の構成を採用することにより、遊技領域の外寄りの位置等、従来とは異なる位置に遊技球通路状のものを安価に設けることができるという効果を奏することができる。また、そのような従来とは異なる位置に擬似的な遊技球通路が設けられているため、遊技球の流下に対する印象が従来とは異なる斬新な遊技機とすることができるという効果も奏することができる。さらに、装飾カバーを扉手段に取り付けるだけで、膨出部を所定の位置に位置させることができ、膨出部の設置が簡易である上、膨出部に、遊技領域の外側へ向かって切り欠かれ、遊技球流路の一部を露出させる切り欠き部を設けているため、擬似的な遊技球通路を流下する遊技球を視認可能とすることができるという効果も奏することができる。
【０００８】
また、本発明や上記第１の構成を採用したものにおいて、前記扉手段の前面の周縁部に、発光手段が設けられており、前記装飾カバーが、前記発光手段のランプカバーであるという第２の構成を採用することも考えられる。
そして、そのような第２の構成を採用することにより、従来の扉手段に対して膨出部を容易に後付けすることができ、更なるコスト低減を図ることができるという効果を奏することができる。
【発明の効果】
【０００９】
本発明によれば、膨出部が、何れかの遊技球流路に沿って延びていて、当該遊技球流路の少なくとも一部の前方に位置しており、遊技球流路における膨出部での被覆箇所が擬似的な遊技球通路とされている。したがって、遊技領域の外寄りの位置等、従来とは異なる位置に遊技球通路状のものを安価に設けることができる。また、そのような従来とは異なる位置に擬似的な遊技球通路が設けられているため、遊技球の流下に対する印象が従来とは異なる斬新な遊技機とすることができる。さらに、装飾カバーを扉手段に取り付けるだけで、膨出部を所定の位置に位置させることができ、膨出部の設置が簡易である。
加えて、膨出部に、遊技球流路の一部を露出させる開口が設けられているため、当該開口を介して擬似的な遊技球通路を流下する遊技球を視認可能とすることができる。
【図面の簡単な説明】
【００１０】
【図１】パチンコ機を前面側から示した説明図である。
【図２】図１中の領域Ａを拡大して示した説明図である。
【図３】図１中の領域Ｂを拡大して示した説明図である。
【図４】パチンコ機を後面側から示した説明図である。
【発明を実施するための形態】
【００１１】
以下、本発明の一実施形態となるパチンコ機について、図面にもとづき詳細に説明する。
【００１２】
（パチンコ機の全体的な説明）
図１は、パチンコ機１を前面側から示した説明図である。また、図２は、図１中の領域Ａを拡大して示した説明図である。さらに、図３は、図１中の領域Ｂを拡大して示した説明図である。加えて、図４は、パチンコ機１を後面側から示した説明図である。
パチンコ機１は、遊技盤の前面に形成された遊技領域１６内へ遊技球を打ち込み、遊技領域１６内を流下させて遊技するものであって、遊技盤は、支持体として機能する機枠３の前面上部に、金属製のフレーム部材であるミドル枠５を介して設置されている。また、遊技盤の前方には、ガラス板を支持してなる前扉４が、ミドル枠５に対し、左端縁を軸として片開き可能に上下位置で蝶着されており、該前扉４によって閉塞される遊技盤の前方空間が遊技領域１６とされている。
【００１３】
当該遊技領域１６は、遊技盤の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように電動役物や電飾等を備えたセンター部材２６が遊技盤に設置されており、該センター部材２６の下方には、遊技球が入賞可能な始動入賞口１９が設けられているとともに、始動入賞口１９の下方には、開閉動作可能な扉部材を有する始動入賞役物１７が設けられている。また、センター部材２６の左方には、遊技球が流下可能な左打ち用スペースＳＬが形成されており、左打ち用スペースＳＬを流下する遊技球に限り、始動入賞口１９へ入賞し得るようになっている。なお、開状態にある始動入賞役物１７へは、左打ち用スペースＳＬと後述する右打ち用スペースＳＲとの何れを流下させたとしても入賞し得るようになっている。
【００１４】
一方、センター部材２６の右方にも遊技球が流下可能な右打ち用スペースＳＲが形成されており、該右打ち用スペースＳＲには、遊技球が通過可能なゲート部材２０が設けられている。また、右打ち用スペースＳＲの下部（センター部材２６の下方で、始動入賞口１９の右側となる位置）には、開閉可能な扉部材を有する２つの大入賞アタッカー１８ａ、１８ｂが設置されている。そして、遊技球を左打ち用スペースＳＬではなく右打ち用スペースＳＲを流下させることにより、ゲート部材２０を通過させたり、開成した大入賞アタッカー１８ａ、１８ｂへ効率良く入賞させることができる。なお、センター部材２６の左右を問わず、遊技領域１６の略全面には多数の遊技釘７０、７０・・が植設されている。また、遊技領域１６外となる遊技盤の右下部には、特別図柄を表示するための７セグメント表示器からなる特別図柄表示部７１が設けられている。
【００１５】
また、機枠３の前面側であって上記遊技盤の下方には、遊技球を発射装置１０へ供給するための供給皿７、及び供給皿７から溢れた遊技球を貯留するための貯留皿８が取り付けられており、供給皿７は前扉４の開放に伴いミドル枠５に対して片開き可能になっている一方、貯留皿８はミドル枠５の開放に伴い機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられている。加えて、前扉４の左右両側部には、パチンコ機１の遊技状態等に応じて点灯・点滅する複数のＬＥＤを内蔵したランプ部材１５、３１が設けられている。
【００１６】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が、ミドル枠５を介して機枠３に設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５、３１の点灯／点滅動作等を制御する発光制御装置（図示せず）、スピーカ１４、１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１７】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させて始動入賞口１９への遊技球の入賞を狙う。そして、遊技球の入賞検知に起因して実行される所謂大当たり抽選の結果が「大当たり」になると、特別図柄表示部及び演出用表示部６に夫々所定の「大当たり図柄」が確定表示される（たとえば、演出用表示部６に「７、７、７」と確定表示させる）。また、「大当たり図柄」が確定表示されると、大入賞アタッカー１８ａ、１８ｂの扉部材を交互に所定回数にわたって断続的に開成させるといった所謂「大当たり状態」が生起する。そこで、遊技者は、右打ち用スペースＳＲを流下させる「右打ち」を行い、断続的に開成する大入賞アタッカー１８ａ、１８ｂへの遊技球の入賞を狙う。
【００１８】
また、大当たり状態終了後、特別図柄表示部７１での図柄の確定表示回数が所定回数に達するまで、始動入賞役物１７が頻繁に開状態となる所謂時短状態が生起する。そこで、遊技者は、当該時短状態が終了するまで「右打ち」を継続して、ゲート部材２０への遊技球の通過、及び始動入賞役物１７への遊技球の入賞を狙う。そして、図柄の確定表示回数が所定回数に達して時短状態が終了すると、「右打ち」を止めて左打ち用スペースＳＬを流下させる上記遊技へと戻る。
【００１９】
（左側のランプ部材の説明）
ここで、本発明の要部となる左側のランプ部材３１について、図２及び３にもとづき詳細に説明する。
ランプ部材３１は、前扉４を構成する枠体（図示せず）の左側縁部の前面に固定された電飾基板（図示せず）と、該電飾基板の前方を覆うように組み付けられるランプカバー３２とからなる。ランプカバー３２は、透光性を有する合成樹脂により成形されてなるものであって、その右側縁部には、枠体とガラス板との境界を越えてガラス板の前方まで膨出する膨出部３３が設けられている。
【００２０】
一方、遊技領域１６側の領域Ａについて説明すると、左打ち用スペースＳＬの領域Ａ内には、複数の遊技釘７０、７０・・を始動入賞口１９へ向かう右下がりに並べて植設してなる遊技釘列が、遊技球が通過可能な所定の間隔を隔てて複数列形成されている。そして、その遊技釘列と遊技釘列との間のスペースが、遊技球が流下する遊技球流路（遊技球流路４２Ａ〜４２Ｃ等）となっている。また、それらの遊技球流路には、隣り合う遊技釘７０、７０間の距離が遊技球１個の直径以上離されてなる流路分岐部（流路分岐部４１Ａ、４１Ｂ等）が設けられている。この流路分岐部を通る遊技球は、始動入賞口１９へ向かわない方向や始動入賞口１９への入賞の期待度が低下する方向へ移動することになる。したがって、遊技球が流路分岐部を通過すると、当該遊技球の始動入賞口１９への入賞確率は下がる。
【００２１】
そして、上記膨出部３３は、前扉４を機枠３に対して閉塞した際、上述したような左打ち用スペースＳＬ（遊技領域１６）の前方にまで達しており、第１の遊技球流路４２Ａの上流端部に設けられた第１の流路分岐部４１Ａを被覆している。すなわち、膨出部３３には、第１の流路分岐部４１Ａの前方に位置する第１擬似進入部３３ａが設けられている。また、膨出部３３は、第１の流路分岐部４１Ａから進入した遊技球を流下させる第２の遊技球流路４２Ｂの一部を被覆している。すなわち、膨出部３３における第１擬似進入部３３ａの下側には、第２の遊技球流路４２Ｂに沿って延び、該第２の遊技球流路４２Ｂの一部の前方に位置する第１擬似通路部３３ｂが設けられている。さらに、膨出部３３には、第２の遊技球流路４２Ｂよりも更に始動入賞口１９への入賞確率が低くなる（第２の遊技球流路４２Ｂよりも更に遊技領域１６の外寄りに設けられた）第３の遊技球流路４２Ｃを一部露出させるための開口３３ｃ及び切り込み３３ｄが設けられている。なお、第１擬似通路部３３ｂは、第２の遊技球流路４２Ｂの幅の略半分を覆う程度までしか膨出していない。また、第１擬似進入部３３ａから第１擬似通路部３３ｂの上流側端部にかけては、大きく遊技領域１６の外側へ切り欠かれた切り欠き部３３ｅが設けられている。したがって、パチンコ機１を遊技する遊技者視点で見てみると、第１の流路分岐部４１Ａから第２の遊技球流路４２Ｂへ進入し、第２の遊技球流路４２Ｂを流下する遊技球を視認可能となっている。
【００２２】
したがって、上述したようなランプカバー３２が取り付けられることで、膨出部３３の第１擬似進入部３３ａや第１擬似通路部３３ｂが、第１の流路分岐部４１Ａや第２の遊技球流路４２Ｂの前方に位置するため、領域Ａ内には、第１擬似進入部３３ａから第１擬似通路部３３ｂにかけて擬似的な遊技球通路が形成されることになる。すなわち、センター部材２６から離れた箇所に、遊技領域１６内に植設されている遊技釘７０、７０・・と、ランプカバー３２の膨出部３３とからなる擬似的な遊技球通路が設けられることになる。そして、遊技球は、第１の流路分岐部４１Ａを進入口として擬似的な遊技球通路へ進入し、当該擬似的な遊技球通路を通過した後、第２の遊技球流路４２Ｂや第３の遊技球流路４２Ｃの延長線上へ排出されるといった態様で流下することになる。
【００２３】
また、遊技領域１６側の領域Ｂについて説明すると、領域Ｂには、遊技球が通過可能な合成樹脂製の遊技球流路部５１が設けられている。遊技球流路部５１は、センター部材２６の左側の外周縁部に設けられており、センター部材２６寄りの第１流路部５２と、第１流路部５２よりも遊技領域１６の外寄りとなる第２流路部５３との左右に並設された２つの流路部を有している。そして、遊技球が第２流路部５３を通過すると、第１流路部５２を通過した場合よりも、始動入賞口１９への入賞確率が下がるようになっている。なお、遊技球流路部５１は、前側を閉塞するカバー部材等を備えておらず、前方へ開放された状態となっている。
【００２４】
このような領域Ｂにおいても、上記膨出部３３は、前扉４を機枠３に対して閉塞した際、上述したような左打ち用スペースＳＬ（遊技領域１６）の前方にまで達しており、第２流路部５３への進入口の一部を被覆している。すなわち、膨出部３３には、第２流路部５３への進入口の前方に位置する第２擬似進入部３３ｆが設けられている。また、膨出部３３は、第２流路部５３に沿って延びており、第２流路部５３の上流端から下流端にかけての略全域において、第２流路部５３の幅方向での略半分を被覆している。すなわち、膨出部３３における第２擬似進入部３３ｆの下側に、第２流路部５３の前方に位置する第２擬似通路部３３ｇが設けられている。
【００２５】
したがって、ランプカバー３２が取り付けられることで、膨出部３３の第２擬似進入部３３ｆや第２擬似通路部３３ｇが、第２流路部５３の前方に位置するため、領域Ｂ内には、第２擬似進入部３３ｆから第２擬似通路部３３ｇにかけて、ランプカバー３２の膨出部３３と遊技球流路部５１とにより囲まれた擬似的な遊技球通路が形成されることになる。なお、この擬似的な遊技球通路に関しても、遊技者は、第２流路部５３内を流下する遊技球を視認することができる。
【００２６】
（本実施形態のパチンコ機による効果）
以上のような構成を有するパチンコ機１によれば、前扉４に取り付けられるランプカバー３２に遊技領域１６の前方まで膨出する膨出部３３を設けるとともに、該膨出部３３に、第１の流路分岐部４１Ａや第２の遊技球流路４２Ｂの前方に位置する第１擬似進入部３３ａや第１擬似通路部３３ｂを設けており、第１擬似進入部３３ａから第１擬似通路部３３ｂにかけて擬似的な遊技球通路が形成されるようになっている。したがって、遊技領域１６の外寄りの位置等、従来とは異なる位置に遊技球通路状のものを安価に設けることができる。さらに、そのような従来とは異なる位置に遊技球通路状のものが設けられているため、遊技球の流下に対する印象が従来とは異なる斬新なパチンコ機１とすることができる。
【００２７】
また、膨出部３３に、第２流路部５３の前方に位置する第２擬似進入部３３ｆや第２擬似通路部３３ｇを設けており、第２擬似進入部３３ｆから第２擬似通路部３３ｇにかけて、ランプカバー３２の膨出部３３と遊技球流路部５１とにより囲まれた擬似的な遊技球通路が形成されるようになっている。したがって、上記同様、遊技領域１６の外寄りの位置等、従来とは異なる位置に遊技球通路状のものを安価に設けることができる。さらに、従来設けていた遊技球流路部５１の前側を閉塞するカバー部材等を必要としなくなるため、遊技球流路部５１の前後幅が広くなり、遊技球流路部５１での球詰まりが発生しづらいといった効果もある。
【００２８】
さらにまた、ランプカバー３２に膨出部３３を設けているため、ランプカバー３２を前扉４に取り付けるだけで、膨出部３３を所定の位置に位置させることができ、膨出部３３の設置が簡易であるし、従来の前扉４に対して膨出部３３を容易に後付けすることができ、コスト低減を図ることができる。
またさらに、膨出部３３に、開口３３ｃや切り込み３３ｄ、切り欠き部３３ｅ等を設けているため、擬似的な遊技球通路を流下する遊技球を遊技者に視認させることができる。
加えて、擬似的な遊技球通路を流下する遊技球を遊技者に視認させることができるとは言うものの、膨出部３３を設けない場合と比較して、擬似的な遊技球通路を流下する遊技球は目立ちにくい。すなわち、膨出部３３を第１の流路分岐部４１Ａの前方や第２流路部５３の前方に位置させることによって、始動入賞口１９への入賞の可能性が低い遊技球の流下が目立ちにくくなることになり、遊技者の不快感を軽減することができる。
【００２９】
（本発明の変更例について）
なお、本発明の遊技機に係る構成は、上記実施形態に何ら限定されるものではなく、遊技機全体の構成は勿論、装飾カバー等に係る構成についても、本発明の趣旨を逸脱しない範囲で必要に応じて適宜変更可能である。
【００３０】
たとえば上記実施形態では、左側の装飾カバーに膨出部を設けているが、右側の装飾カバーに膨出部を設けてもよいし、扉手段の上辺部に、下方へ膨出する膨出部を有する装飾カバーを取り付けてもよく、装飾カバーの取付位置に関しては扉手段の周縁部であればどこでもよい。
また、上記実施形態では、装飾カバーの一例であるランプカバーに膨出部を設けているが、ランプカバーとは別個に扉手段に取り付けられる装飾カバーに膨出部を設けたり、ランプカバーに組み付けられる装飾カバーに膨出部を設けたりしてもよい。
【００３１】
さらに、上記実施形態では、膨出部が流路分岐部をも被覆するとしているが、本発明に係る膨出部は、何れかの遊技球流路に沿って延び、当該遊技球流路の少なくとも一部を被覆してさえいれば、流路分岐部を被覆していなくともよい。そして、そのような膨出部を設けることにより、遊技領域の外寄りの位置等に擬似的な遊技球通路を設けることができるといった上記同様の効果を奏することができる。
さらにまた、膨出部に開口や切り込み、切り欠き部を設けるか否か等については、言うまでもなく適宜設計変更可能である。また、膨出部に、遊技球の一部を露出させるようなスリットを設けてもよいし、当該スリットを、遊技球の流下方向に沿って延びるように形成してもよい。さらに、上記実施形態では、膨出部は遊技球流路の幅の略半分程度を覆うとしているが、膨出部が遊技球流路を幅方向で全て覆っていてもよい。
またさらに、上記実施形態では、複数の遊技釘を並べて植設することにより遊技球流路を設けているが、遊技領域内に所定方向へ延びる壁状のリブを前方へ立設することにより、遊技球流路を設けても何ら問題はない。
【００３２】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、扉手段や膨出部等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３３】
１・・パチンコ機（遊技機）、４・・前扉（扉手段）、１６・・遊技領域、３１・・ランプ部材（発光手段）、３２・・ランプカバー（装飾カバー）、３３・・膨出部、３３ａ・・第１擬似進入部（膨出部）、３３ｂ・・第１擬似通路部（膨出部）、３３ｃ・・開口、３３ｄ・・切り込み、３３ｅ・・切り欠き部、３３ｆ・・第２擬似進入部（膨出部）、３３ｇ・・第２擬似通路部（膨出部）、４１Ａ、４１Ｂ・・流路分岐部、４２Ａ、４２Ｂ、４２Ｃ・・遊技球流路、５１・・遊技球流路部（遊技球流路）、５２・・第１流路部（遊技球流路）、５３・・第２流路部（遊技球流路）、７０・・遊技釘。
【図１】
2019162537.tif 000003
【図２】
2019162537.tif 000004
【図３】
2019162537.tif 000005
【図４】
2019162537.tif 000006